(57)【特許請求の範囲】
【請求項１】
周囲の明るさを検知する照度検出部と、人の近接を検知する人体検知部と、前記照度検出部が検知する明るさが所定以下で且つ前記人体検知部が人を検知したときに照明ランプを所定輝度で点灯させる制御部を備えた複数の照明装置を互いに所定の距離をあけて配置するとともに夫々の照明装置には信号線によって互いにディジーチェーン接続され、固有のアドレスによって識別される通信端末部を備え、前記人体検知部の人検知によって前記照明ランプを高輝度点灯させた照明装置の通信端末部の送信手段から予め決めてある周囲の照明装置の通信端末部に夫々の照明ランプを連携点灯させる指示用の信号を前記アドレスを用いて送信する照明制御システムにおいて、
前記照明装置は、基準となる照明装置の通信端末部から送信された電圧信号を受信する受信手段と、該受信手段が受信した電圧信号の電圧の大きさを検出する電圧検出手段とを前記通信端末部に備え、この電圧検出手段の検出電圧の大きさに基づいて送信側の照明装置から自己装置が何台目かを判断する判断手段と、この判断結果に基づいて自己のアドレスの設定を行うアドレス設定手段とを具備し、
前記通信端末部は、信号線を接続する一対の端子から夫々形成された第１、第２の接続端子部を備えるとともに、両接続端子部の一方の端子間を接続するとともに他方の端子間を第１の抵抗を介して接続し、前記第１の接続端子部の他方の端子と前記第１の抵抗との接続点に信号送信用の送信手段の出力端と前記受信手段の入力端とを夫々接続し、前記第１の抵抗の抵抗値との比が所定比となる抵抗値を持つ第２の抵抗を前記受信手段の入力インピーダンス決定用に設け、前記電圧検出手段は電圧信号の電圧を閾値と比較する比較部とから構成している
ことを特徴とする照明制御システム。
【請求項２】
前記照明装置は、アドレス設定スイッチを備えるとともに、このアドレス設定スイッチが操作されたときに自己のアドレスを第一アドレスとして設定するとともにこの第一アドレスを含んだアドレス設定コマンドを電圧信号で前記通信端末部の送信手段から信号線上に送信させる手段と、他の通信端末部からのアドレス設定コマンドを受信したときに前記判断手段の結果に基づいて前記アドレス設定手段により自己のアドレス設定を行わせる手段を備えていることを特徴とする請求項１記載の照明制御システム。
【請求項３】
前記照明装置は、前記アドレス設定コマンドを受信して自己のアドレスを設定した場合に設定したアドレスを含むアドレス設定コマンドを電圧信号で前記送信手段から信号線上に送出させる手段を備えていることを特徴とする請求項２記載の照明制御システム。
【請求項４】
前記所定比として、前記第１の抵抗の抵抗値と前記第２の抵抗の抵抗値との比が１：２であることを特徴とする請求項１乃至３の何れか記載の照明制御システム。
【請求項５】
前記通信端末部は、自己アドレス設定の終了後、前記第１の抵抗の抵抗値をこれまでよりも小さくし、且つ前記第２の抵抗の抵抗値をこれまでよりも大きくする抵抗値変更手段を備えていることを特徴とする請求項４記載の照明制御システム。
【請求項６】
前記通信端末部は、前記電圧信号を電力線搬送通信信号により送受信するものであって、前記通信線として商用電力線を用いるとともに、各通信端末部の第１、第２の接続端子部の間に、商用周波数と電力線搬送通信周波数とを分離するフィルタ回路を設けるとともに、通信路の始端側となる商用電力線に、電力線搬送通信信号を通信路外の商用電力線へ流出するのをブロックするインピーダンスアッパ回路を挿入していることを特徴とする請求項１乃至５の何れか記載の照明制御システム。
【発明の詳細な説明】
【技術分野】
【０００１】
本発明は、複数の照明装置を連携動作させる照明制御システムに関するものである。
【背景技術】
【０００２】
照明装置には、周囲の明るさが暗くなったことを照度センサが検知すると、照明ランプを低輝度点灯させ、照明装置に人が近づいたことを人体検知センサが検知すると、照明ランプを高輝度点灯させるものが提供されている。そしてこの種の照明装置を通路に沿って所定間隔で配置し、特別なスイッチ操作を行うことなく安全にスムーズに通路を人が移動できるようにするとともに、人が近くにいない場合には照明ランプを低輝度点灯させることで、省エネルギを図る照明制御システムが提供されている（例えば特許文献１）。
【０００３】
この特許文献１に開示されているシステムは、図１０に示すように通路に沿って一定間隔で照明装置１００…が天井部に設けられ、夫々の照明装置１００…に設けた人体検知センサの人体検知範囲Ａ…が重ならないように設定するとともに、夫々の照明装置１００…を連携動作せるために無線通信の送受信部を備え、また照明制御空間の照度を検知する照度センサを設けている。そして照明制御空間が低照度となると、各照明装置１００、２００の照明ランプＬ１、Ｌ２を低輝度点灯させた状態とする。この状態において、照明装置１００の人体検知センサが人を検知した場合には照明装置１００は照明ランプＬ１を低輝度点灯から高輝度点灯させると同時に、隣接する照明装置２００に無線信号により連携点灯させる信号を送信して照明装置２００でも照明ランプＬ２を高輝度点灯させるようになっている。
【特許文献１】特開平３−１３４９９６号公報（図１、公報（２）頁左下欄第１行乃至第９行）
【発明の開示】
【発明が解決しようとする課題】
【０００４】
ところで、上述の特許文献１に開示されているようなシステムでは、照明装置間の情報授受のために無線通信が用いられているが、多数の照明装置を設置する場合は夫々の照明装置にユニークなアドレス設定を行う必要があり、このアドレス設定はシステムの施工時に照明装置毎に専用のアドレス設定器を用いて行う必要があり、施工性が高いとは言えなかった。無線通信以外に有線通信を採用しても同様である。
【０００５】
一方アドレス設定を自動的に行う方法の一つとして、アドレスの付与を行うマスタ端末に対してアドレス要求を行い、アドレス要求の先着順にアドレスを設定するという方法がある。この方法を用いれば、全端末に対してアドレスの付与を行うことが可能であるものの、端末が設置されている位置に関係なくアドレスが付与されることになることになる。そのためこの方法を上述の照明制御システムに採用した場合、例えば或る照明装置の人体検知部が人を検知した場合、その照明装置の前後に隣接する二つの照明装置の照明ランプを点灯させるという制御を実現するには、別の手段で隣り合った照明装置の通信端末部のアドレスを登録設定しなくてはならず、結局手間がかかるという問題があった。
【０００６】
本発明は、上述の点に鑑みて為されたもので、その目的とするところは、専用のアドレス設定器を用いてアドレス設定作用を行わなくても、自動的に各照明装置の通信端末部に位置関係を考慮したアドレスの付与が行え、任意の通信端末部との間で通信を行うことを可能とした照明制御システムを提供することにある。
【課題を解決するための手段】
【０００７】
上述の目的を達成するために、請求項１の発明では、周囲の明るさを検知する照度検出部と、人の近接を検知する人体検知部と、前記照度検出部が検知する明るさが所定以下で且つ前記人体検知部が人を検知したときに照明ランプを所定輝度で点灯させる制御部を備えた複数の照明装置を互いに所定の距離をあけて配置するとともに夫々の照明装置には信号線によって互いにディジーチェーン接続され、固有のアドレスによって識別される通信端末部を備え、前記人体検知部の人検知によって前記照明ランプを高輝度点灯させた照明装置の通信端末部の送信手段から予め決めてある周囲の照明装置の通信端末部に夫々の照明ランプを連携点灯させる指示用の信号を前記アドレスを用いて送信する照明制御システムにおいて、前記照明装置は、基準となる照明装置の通信端末部から送信された電圧信号を受信する受信手段と、該受信手段が受信した電圧信号の電圧の大きさを検出する電圧検出手段とを前記通信端末部に備え、この電圧検出手段の検出電圧の大きさに基づいて送信側の照明装置から自己装置が何台目かを判断する判断手段と、この判断結果に基づいて自己のアドレスの設定を行うアドレス設定手段とを具備し、前記通信端末部は、信号線を接続する一対の端子から夫々形成された第１、第２の接続端子部を備えるとともに、両接続端子部の一方の端子間を接続するとともに他方の端子間を第１の抵抗を介して接続し、前記第１の接続端子部の他方の端子と前記第１の抵抗との接続点に信号送信用の送信手段の出力端と前記受信手段の入力端とを夫々接続し、前記第１の抵抗の抵抗値との比が所定比となる抵抗値を持つ第２の抵抗を前記受信手段の入力インピーダンス決定用に設け、前記電圧検出手段は電圧信号の電圧を閾値と比較する比較部とから構成している。
【０００８】
請求項２の発明では、請求項１の発明において、前記照明装置は、アドレス設定スイッチを備えるとともに、このアドレス設定スイッチが操作されたときに自己のアドレスを第一アドレスとして設定するとともにこの第一アドレスを含んだアドレス設定コマンドを電圧信号で前記通信端末部の送信手段から信号線上に送信させる手段と、他の通信端末部からのアドレス設定コマンドを受信したときに前記判断手段の結果に基づいて前記アドレス設定手段により自己のアドレス設定を行わせる手段を備えていることを特徴とする。
【０００９】
請求項３の発明では、請求項２の発明において、前記照明装置は、前記アドレス設定コマンドを受信して自己のアドレスを設定した場合に設定したアドレスを含むアドレス設定コマンドを電圧信号で前記送信手段から信号線上に送出させる手段を備えていることを特徴とする。
【００１１】
請求項４の発明では、請求項１乃至３の何れかの発明において、前記所定比として、前記第１の抵抗の抵抗値と前記第２の抵抗の抵抗値との比が１：２であることを特徴とする。
【００１２】
請求項５の発明では、請求項４の発明において、前記通信端末部は自己アドレス設定の終了後、前記第１の抵抗の抵抗値をこれまでよりも小さくし、且つ前記第２の抵抗の抵抗値をこれまでよりも大きくする抵抗値変更手段を備えていることを特徴とする。
【００１３】
請求項６の発明では、請求項１乃至５の何れかの発明において、前記通信端末部は前記電圧信号を電力線搬送通信信号により送受信するものであって、前記通信線として商用電力線を用いるとともに、各通信端末部の第１、第２の接続端子部の間に、商用周波数と電力線搬送通信周波数とを分離するフィルタ回路を設けるとともに、通信路の始端側となる商用電力線に、電力線搬送通信信号を通信路外の商用電力線へ流出するのをブロックするインピーダンスアッパ回路を挿入していることを特徴とする。
【発明の効果】
【００１４】
本発明は、通信端末部の電圧検出手段が検出した受信電圧の大きさに基づいて送信側の照明装置から自己装置が何台目かを判断する判断手段と、この判断結果に基づいて自己のアドレスの設定を行うアドレス設定手段とを照明装置に具備しているので、専用のアドレス設定器を用いてアドレス設定作用を行わなくても、自動的に各照明装置の通信端末部に位置関係を考慮したアドレスの付与が行え、任意の通信端末部との間で通信を行うことを可能とした照明制御システムを提供できる。
【発明を実施するための最良の形態】
【００１５】
以下本発明を実施形態により説明する。
（実施形態１）
図１は本実施形態のシステム構成図であり、各照明装置１は、商用の電力線２に電源接続端子部１１を介して接続され、商用電源ＡＣから所定の直流電圧を得て各回路部の動作電源として供給する電源回路３と、白熱ランプや蛍光ランプ等からなる照明ランプ４と、照明ランプ４への点灯電力供給を制御して照明ランプ４の点灯状態を制御する照明ランプ駆動部５と、照明装置１付近で人が検知されたときに人体検知信号を出力する人体検知部６と、周囲の明るさを検知して照度検知信号を出力する照度検知部７と、他の照明装置１との間で２線の通信線８を介して情報授受のための通信を行う通信端末部９と、人体検知部６や照度検知部７の検知信号に応じて照明ランプ駆動部５へ制御信号を出力すると同時に通信端末部９との間で送受信信号の受け渡し制御を行うとともにアドレス設定スイッチ１２が接続され、後述するアドレス設定スイッチ２の操作に伴う処理や自己装置の接続番目の判断を行う等のアドレス設定のための手段としての処理を行うＣＰＵからなる制御部１０とで構成される。尚図１の図示では一部の照明装置１の回路構成を一部省略してある。
【００１６】
通信端末部９は、信号線８により他の照明装置１の通信端末部９との間でディジーチェーン接続するための第１の接続端子部９０ａと、第２の接続端子部９０ｂと、両接続端子部９０ａ、９０ｂの一方の端子間に挿入される第１の抵抗Ｒ１と、制御部１０からの信号を低出力インピーダンスで電圧信号として出力する送信手段たる送信回路９１と、第２の抵抗Ｒ２を入力インピーダンスとし、他の照明装置１の通信端末部９からの電圧信号を受信する受信手段たる受信回路９２と、受信回路９２から出力される電圧信号を予め設定されている複数の閾値と比較し、その比較結果を位置検出出力として出力する位置検出手段たる比較部９３とで構成されている。ここで両接続端子部９０ａ、９０ｂの他の端子間は接続されるとともにグランドに接続されている。
【００１７】
また送信回路９１の出力端、受信回路９２の入力端は、抵抗Ｒ１と接続端子部９０ａの端子との接続点に接続してある。抵抗Ｒ１には送信回路９１の出力インピーダンスよりも十分大きな抵抗値を持つものが用いられ、また抵抗Ｒ１の抵抗値と抵抗Ｒ２の抵抗値との比を１：２、つまり抵抗Ｒ２の抵抗値を抵抗Ｒ１の抵抗値の倍としてある。
【００１８】
而して各照明装置１を例えば図２に示すように通路の天井に所定間隔で配置してシステムを構築に当たっては、各照明装置１の電源接続端子部１１を商用電力線２に接続するとともに、通路に沿って左右に位置する他の照明装置１の通信端末部９に通信線８を介して接続する。この場合第１の接続端子部９０ａには他の照明装置１の通信端末部９の第２の接続端子部９０ｂを通信線８を介して接続し、第２の接続端子部９０ｂには別の照明装置１の通信端末部９の第１の接続端子部９０ａに通信線８を介して接続することで、全ての照明装置１の通信端末部９は通信線８によりディジーチェーン接続される。つまり一筆書き状に接続されることになる。ここで両端に位置する照明装置１の通信端末部９では、第１の接続端子部９０ａ或いは第２の接続端子部９０ｂが未接続状態となるため、未接続の第１の接続端子部９０ａの一対の端子間には抵抗Ｒ２と等しい抵抗値の終端抵抗ＲＴを、また未接続の第２の接続端子部９０ｂの一対の端子間には抵抗Ｒ１と等しい抵抗値の終点抵抗Ｒｔを接続する。
【００１９】
このようにして施工されることで各照明装置１の通信端末部９は通信線８を介して情報授受ができることになり、また各照明装置１では図２に示すように下方に人体検知部６の人体検知範囲Ａが設定されることになる。
【００２０】
次の本実施形態の動作を、図３に示すように各照明装置１を４台接続したシステム例により説明する。
【００２１】
通信路の一端に配置され、終端抵抗ＲＴが接続されている照明装置１１のアドレス設定スイッチ１２が押下げされると、制御部１０は自己の通信端末部９のアドレスとして「０」を設定して内部メモリに記憶すると同時に、図４（ａ）に示すようなアドレス設定コマンドを通信端末部９の送信回路１１を介して信号線８上に電圧信号として送信する。このアドレス設定コマンドを受信回路１２で受信した各照明装置１２〜１４は、比較部９３により受信信号の電圧Ｖｒと予め設定している閾値との比較を行う。ここで受信電圧Ｖｒとアドレス設定コマンドを送信した基準となる照明装置１１からの距離ｎは、
Ｖｒ＝１／２ｎ  …（１）
によって表すことができる。この（１）式で求められる値を閾値として、制御部１０は比較部９３での比較結果から自己装置がアドレス「０」の照明装置１１から何番目の位置にある装置となるのかを決定し、その位置に応じたアドレスを内蔵メモリに自己装置の設定アドレスとして記憶する。例えば送信した電圧信号の電圧をＶとすると、１番目の位置にある照明装置１２では、１／２Ｖの受信電圧となり、この受信電圧によって１番目と判断することでアドレスを「１」とする。同様に２番目の位置にある照明装置１３では、１／４Ｖの受信電圧となり、この受信電圧によって２番目と判断することでアドレスを「２」とする。更に３番目の位置にある照明装置１４では、１／８Ｖの受信電圧となり、この受信電圧によって３番目と判断することでアドレスを「３」とする。
【００２２】
そしてアドレスを設定した各照明装置１２〜１４は、アドレス設定を行ったことを他の照明装置に通知するために、制御部１０の制御の下で図４（ｂ）に示すようなアドレス応答コマンドを通信端末部９を通じて信号線８上に電圧信号により送信する。このアドレス応答コマンドの電圧信号を受信した各照明装置１２〜１４の制御部１０は上述と同様にその受信電圧から自己装置から何番目の照明装置からの送信信号かを判断することができ、そのためアドレスが何処まで設定されているのかを知ることが可能となり、離れた位贋の照明装置に対して任意の連携制御のための信号を送信することができることになる。
【００２３】
図５は上述のアドレス設定時の照明装置１で制御部１０を中心とした動作フローである。このフローに沿って簡単に制御部１０を中心とした動作を説明する。まずシステムが動作を開始すると、制御部１０はステップＳ１で信号受信の有無を判定し、受信が無ければ、アドレス設定スイッチ１２の押下げをステップＳ２で判定し、押下げが無ければステップＳ１に戻る。つまり待機時にはステップＳ１、Ｓ２を繰り返すのである。アドレス設定スイッチ１２の押下げがあると、自己装置のアドレスを上述のように「０」に設定し（ステップＳ３）、ステップＳ４でアドレス設定コマンドを送信してステップＳ１に戻る。つまりこのステップＳ２〜Ｓ４は基準となる照明装置としての動作を示す。そして他の照明装置から信号受信があると、ステップＳ５で、受信した電圧信号がアドレス設定コマンドであるのか否かを判断し、アドレス設定コマンドであれば、比較部９３による受信電圧と閾値との比較を行い（ステップＳ６）、この比較結果に応じて自己装置のアドレス設定を行い（ステップＳ７）、ステップＳ８でアドレス応答コマンド送信を行い、ステップＳ１に戻る。またステップＳ５でアドレス設定コマンドと判定されなかった場合にはステップＳ９で受信信号がアドレス応答コマンドであるか否かを判定し、アドレス応答コマンドであれば、ステップＳ１０で受信したアドレスを記憶する処理を行う。またアドレス応答コマンドでなければ、ステップＳ１１でコマンド内容確認を行い、自己アドレス宛の場合にはコマンドに沿って所定の照明ランプ４に対する制御処理を行う。この制御処理においては送信側照明装置１に隣接する照明装置１では低輝度点灯から高輝度点灯に制御する連携制御を行う。勿論送信側照明装置１に対する自己装置の位置に基づいて自己装置の照明ランプ４の光出力を制御するようにしても良い。つまり送信側照明装置１に隣接する場合には５０％の調光レベルで、また２番目位置の場合には２５％、更に３番目位置の場合には１２．５％というように送信側照明装置１に対する位置に応じて光出力を制御するようにしても良い。
【００２４】
以上のようにして本実施例では、基準となる照明装置１でアドレス設定スイッチ１２が押下げられると、通信線８を介してディジーチェーン接続された各照明装置１のアドレス設定が接続位置関係に基づいて自動的に行われることになり、そのためアドレス設定作業が簡素化できるという利点がある。
【００２５】
ところで、上述のように終端抵抗ＲＴを接続した照明装置１のアドレス設定スイッチ１２を押下げすると、ユニークなアドレス設定を行うことが可能であるが、任意の照明装置１のアドレス設定スイッチ１２を押下げすれば、その照明装置１のアドレスが「０」と設定され、その両側に位置する照明装置１のアドレスが「１」、アドレス「１」の照明装置１の隣の照明装置１のアドレスが「２」というように、アドレス「０」の照明装置１を中心に左右対称にアドレス設定を行うことも可能となる。
【００２６】
この設定を行った場合、同一アドレスのアドレス応答コマンドが送信されることになるため、終端抵抗ＲＴやＲｔが接続された照明装置１のアドレス設定スイッチ１２が押下げされたのか、そうでない照明装置１のアドレス設定スイッチ１２が押下げされたのかを判断することが可能である。
【００２７】
また実際に比較部９３の閾値を設定する場合、信号線８の配線抵抗による電圧降下分を考慮する必要があるため、ある程度のマージンを持たせて比較を行うようにする。また第１の抵抗Ｒ１及び第２の抵抗Ｒ２は、信号線８の配線抵抗よりも十分大きな値とする。
（実施形態２）
実施形態１ではアドレス設定を一斉に行っていたが、本実施形態では一つ隣りを表す閾値でアドレス設定コマンドを判断し、順次アドレス設定を行うようにしたことに特徴がある。尚照明装置１の基本的な構成は実施形態１と同じであるため図示を省略する。
【００２８】
次に図６に示す４台の照明装置１１〜１４をディジーチェーン接続で接続したシステムにより本実施形態のアドレス設定方法を説明する。
【００２９】
まずアドレス設定が行われていない状態では、各照明装置１１〜１４のアドレス値はデフォルト値になっていることとし、そのアドレス値はアドレスの上限値（例えば２５６台まで設置可能な場合には２５６）に設定されているとする。
【００３０】
而して今終端抵抗ＲＴが接続されている照明装置１１のアドレス設定スイッチ１２が押下されると、その照明装置１１の制御部１０は自己装置のアドレスを「０」に設定すると同時に、通信端末部８を介して図７（ａ）に示すようなアドレス設定コマンドを送信する。
この場合、送信元アドレスは、「０」となる。このアドレス設定コマンドは数台離れた照明装置まで届くことになるが、予め決められている送信信号の電圧Ｖの１／２となる閾値により比較部９３で比較し、その比較結果に基づいて制御部１０が受信判定を行うことで、隣に設置された照明装置（図示例では１２のみ）が応答する。その他の照明装置（図示例では１３，１４）は、アドレス設定コマンドを受信することができても、そのアドレス設定コマンドに対する応答処理は行わない。また、受信したアドレス設定コマンドの送信元アドレスが、自己装置のアドレスよりも大きい場合も応答は行わない。
【００３１】
さてアドレス設定コマンドを受信した隣りの照明装置１２の制御部１０は、アドレス設定コマンドから送信元アドレスを読み出し、そのアドレスに「１」を加算した値を自己装置のアドレスとして内蔵メモリに記憶する。この図６では、送信元アドレスは「０」であるため、「０」に「１」を加算して、「１」をアドレスとして設定する。
【００３２】
アドレスの設定を終えた照明装置１２の制御部１０は、自己装置のアドレスを送信元アドレスに設定して、アドレス設定コマンドを送信する。このようにして順次アドレス設定が行われる。
【００３３】
またアドレス設定コマンドを送信した後、送信元アドレスが自己装置のアドレスよりも大きいアドレス設定コマンドが受信される場合は、隣に他の照明装置が接続されていることを意味するが、一定時間経過してもアドレス設定コマンドを受信することができない場合は、自己装置が最終アドレスを設定する照明装置となる。  
【００３４】
最終アドレス設定を行った照明装置１４は、図７（ｂ）に示すようなアドレス応答コマンドを送信する。このアドレス応答コマンドには、送信元アドレスの他に、最終アドレスを含む。図６の場合、送信元アドレス及び最終アドレスを「３」として、アドレス応答コマンドがアドレス「３」の照明装置１４から送信される。
【００３５】
アドレス応答コマンドは、アドレス設定コマンドと同様に、隣に設置された照明装置のみ応答するため、アドレス「２」の照明装置１３のみコマンドに応答する。アドレス応答コマンドを受信したアドレス「２」の照明装置１３の制御部１０は、最終アドレスが「３」であることを記憶保持すると同時に、自己装置のアドレスを送信元アドレスとして、アドレス応答コマンドを送信する。図６では、送信元アドレス「２」、最終アドレス「３」となる。但し、アドレス応答コマンドは自己装置のアドレスよりも送信元アドレスが大きい場合のみ応答する。このようにしてアドレス応答コマンドが送信される。
【００３６】
そしてアドレス応答コマンドの送信元アドレスが「１」となったコマンドを受信した照明装置１１の制御部１０は、アドレス応答コマンドの送信処理は行わずに、最終アドレスを記憶保持して、アドレス設定制御を終了する。このようにして、全照明装置１１〜１４にアドレス設定を行うことができるのである。
【００３７】
尚図示していないが、アドレス設定を行った後、第１の抵抗Ｒ１を小さく、第２の抵抗Ｒ２を十分大きくし、終端抵抗ＲＴ及び終端抵抗Ｒｔを同一抵抗値にすれば、通常のバス接続された通信システムと同様のシステム構成となるため、抵抗Ｒ１、Ｒ２の抵抗値を変更手段を用いてアドレス設定時とアドレス設定後とに変更するようにしても良い。
【００３８】
図８は本実施形態の照明装置１の制御部１０を中心とした動作フローを示す。このフローに沿って簡単に制御部１０を中心とした動作を説明する。まずシステムが動作を開始すると、制御部１０はステップＳ１で信号受信の有無を判定し、受信が無ければ、アドレス設定スイッチ１２の押下げをステップＳ２で判定し、押下げが無ければステップＳ３でアドレス設定コマンド送信後一定時間経過したか否かを判定し、一定時間経過しなければステップＳ１に戻る。
【００３９】
一方アドレス設定スイッチ１２の押下げがあると、ステップＳ４で自己装置のアドレスを「０」に設定し、ステップＳ５で自己装置のアドレスを送信元に設定してアドレス設定コマンドを送信し、この送信後ステップＳ１に戻る。
【００４０】
ステップＳ１において信号受信があると、ステップＳ６における比較部９３での閾値と受信電圧値との比較結果が受信電圧値が閾値未満であればステップＳ１に戻り、閾値以上あればステップＳ７で、受信した電圧信号がアドレス設定コマンドであるのか否かを判定し、アドレス設定コマンドであれば、ステップＳ８において、送信元アドレスが自己装置のアドレスより小さいか否かの判定を行い、小さければステップＳ９において送信元アドレスに「１」を加算して自己装置のアドレスに設定し、ステップＳ１０で自己装置のアドエスを送信元に設定してアドレス設定コマンドを送信する処理を行い、この送信後ステップＳ１に戻る。
【００４１】
一方ステップＳ７でアドレス設定コマンドでないと判定された場合には、ステップＳ１１でアドレス応答コマンドか否かの判定を行い、アドレス応答コマンドであれば、ステップＳ１２で送信元アドレスが自己装置のアドレスより大きいか否かの判定を行い、大きければステップＳ１３で最終アドレスを記憶保持した後、ステップＳ１４で送信元アドレスが「１」であるか否かの判定を行い「１」であればアドレス設定制御を終了し、「１」でなければ、ステップＳ１５で自己装置のアドレスを送信元に設定してアドレス応答コマンドを送信する処理を行い、この送信後ステップＳ１に戻る。
【００４２】
上述のステップＳ１１での判定でアドレス応答コマンドでない場合には、ステップＳ１６でコマンド内容を確認し、その内容が自己アドレス宛であればステップＳ１７で所定の制御を行い、ステップＳ１に戻る。
【００４３】
ところで、ステップＳ４或いはＳ１０でアドレス設定コマンド送信後、ステップＳ３での判定で一定時間経過したと判定された場合には、ステップＳ１８で自己装置のアドレスを最終アドレスに設定し、ステップＳ１９で自己アドレスを送信元に設定してアドレス応答コマンドを送信する処理を行い、この送信後ステップＳ１に戻る。  
【００４４】
尚ステップＳ６、Ｓ８、Ｓ１２で「ｎｏ」と判定された場合にはステップＳ１に戻る。
【００４５】
上述のように本実施形態では、実施形態１と同様にアドレス設定スイッチ１２を押下げするだけで、ディジーチェーン接続された照明装置１のアドレス設定を自動で行うことが可能であるため、アドレス設定作業が簡素化できる。またバケツリレーのように隣の照明装置１にのみアドレス設定コマンドを送信すればよいので、アドレス設定対象装置が多い場合でも確実にアドレス設定を行うことが可能であるという利点がある。
【００４６】
また終端抵抗ＲＴ又はＲｔが接続されている照明装置１がアドレス設定コマンドを受信した場合に、アドレス応答コマンドを送信してもよい。また終端抵抗ＲＴ或いはＲｔを接続した照明装置１のアドレス設定スイッチ１２を押下げると、ユニークなアドレス設定を行うことが可能であるが、任意の照明装置１のアドレス設定スイッチ１２を押下げすれば、その照明装置１のアドレスが「０」となり、その両端の照明装置１のアドレスが「１」、アドレス「１」の隣りの照明装置１のアドレスが「２」というように、アドレス「０」の照明装置１を中心に左右対称にアドレス設定を行うことが可能となる。この設定を行った場合、同一アドレスのアドレス応答コマンドが送信されることになるため、終端抵抗ＲＴやＲｔが接続された照明装置１のアドレス設定スイッチ１２が押下されたのか、そうでない照明装置１のアドレス設定スイッチ１２が押下げられかを判断することが可能である。
【００４７】
実際に閾値を決定する場合、専用の信号線８の配線抵抗による電圧降下分を考慮する必要があるため、ある程度のマージンを持たせて比較を行うようにする。また第１の抵抗Ｒ１及び第２の抵抗Ｒ２は、信号線８の配線抵抗よりも十分大きな値とする。
（実施形態３）
実施形態１，２は専用の信号線８を用いたものであるが、本実施形態は電力線搬送通信を用いて信号伝送を行うもので、図９に示すように各照明装置１の通信端末部９をディジーチェーン接続（一筆書き接続）を行う通信線を電力線２で兼用させたものである。
【００４８】
ここで、図９に示すように通信路の始端となる照明装置１の通信端末部９の第１の接続端子部９０ａにはインピーダンスアッパ回路２０ａを挿入し、コンデンサＣＴ１と抵抗ＲＴとの直列回路からなる終端抵抗部２１ａを並列接続してある電力線２を接続してある。また通信路の終端となる照明装置１の通信端末部９の第２の接続端子部９０ｂにはコンデンサＣＴ２と抵抗Ｒｔとの直列回路からなる終端抵抗部２１ｂを接続してある。
【００４９】
照明装置１内では、接続端子部９１に電源回路３の入力端をインピーダンスアッパ回路２０ｂを介して接続し、電源回路３に電力線２を介して商用電源ＡＣから入力電源を供給するようになっている。また通信端末部９内では両接続端子部９０ａ、９０ｂの一方の端子間をコンデンサＣ１、第１の抵抗Ｒ１、コンデンサＣ２を介して接続し、また他方の端子間を直接接続し、且つ両接続端子部９０ａ、９０ｂの両端子間にはフィルタ回路２２を介在させている。更に送信回路９１の出力端、受信回路９２の入力端は結合トランスＴｒを介してコンデンサＣ１と抵抗Ｒ１との接続点に接続してある。
【００５０】
インピーダンスアッパ回路２０ａ、２０ｂは、電力線搬送通信周波数（例えば１０ｋＨｚ〜４５０ｋＨｚの周波数範囲）に対して十分高いインピーダンスを示し、商用周波数（５０Ｈｚ、６０Ｈｚ）に対しては十分低いインピーダンスを示し回路からなり、外付けのインピーダンスアッパ回路２０ａは本システムの通信路から外部の電力線２へ電力線搬送通信信号が漏出するのを阻止し、内蔵しているインピーダンスアッパ回路２０ｂは電源回路３側へ漏出するのを阻止する。またインピーダンスアッパ回路２０ａ、２０ｂは電力線搬送通信信号が漏出するのを防ぐと同時に電力線２のインピーダンスを終端抵抗値で管理できるようにする役割を持つ。
【００５１】
結合トランスＴｒは送信する電力線搬送通信信号を電力線２上に重畳させ、電力線２上に重畳して送られてくる電力線搬送通信信号を抽出するための絶縁トランスからなる。
【００５２】
更にコンデンサＣ１、Ｃ２は商用周波数に対しては十分に高いインピーダンスを示し、電力線搬送通信周波数に対しては十分に低いインピーダンスを示すコンデンサからなる。
【００５３】
フィルタ回路２２は、商用周波数に対しては十分低いインピーダンスを示し、電力線搬送通信周波数には十分高いインピーダンスを示すフィルタ回路からなる。
【００５４】
而して各照明装置１の通信端末部９は、第１の接続端子部９０ａを一側に隣接する照明装置１の通信端末部９の第２の接続端子部９０ｂに通信線を兼ねる電力線２を介して接続し、第２の接続端子部９０ｂを他側に隣接する照明装置１の通信端末部９の第１の接続端子部９０ａに通信線を兼ねる電力線２を介して接続することで、各通信端末部９は通信線を兼ねる電力線２によりディジーチェーン接続、つまり一筆書きに接続される。
【００５５】
上述のように構成された本実施形態では電圧信号を所定の電力搬送通信周波数の交流信号を電力線２に重畳させて行う点では実施形態１，２と相違するが、アドレス設定方法は実施形態１又は実施形態２の方法と同じ方法により行うため、アドレス設定についての説明は省略する。
【００５６】
そして本実施形態は実施形態１，２と同様名利点の他に電力線２を用いて信号の受け渡しを行うため、省配線化が図れるという利点がある。
【００５７】
ところで、エミット（ＥＭＩＴ（Embedded Micro Internetworking Technology）)と称する機器組み込み型ネットワーク技術（機器に簡単にミドルウェアを組み込んでネットワークに接続できる機能を備えるネットワーク技術、以降、ＥＭＩＴ技術と称する。）を用いることで、携帯電話、ＰＣ（Personal Computer）、ＰＤＡ（Personal  Digital Assistant）、ＰＨＳ（Personal Handy phone System）等の外部端末（図示せず）から様々な設備機器（照明装置、空調装置、動力装置、センサ、電気錠、ウェブカメラ等、以降、ＥＭＩＴ端末と称する。）＜図示せず＞にアクセスして、ＥＭＩＴ端末を遠隔監視・制御することができるシステムがある。前記ＥＭＩＴ端末は、マイコン搭載の組み込み機器であり、機器組み込み型のネット接続用ミドルウェアでありＥＭＩＴ技術を実現するＥＭＩＴソフトウェアが搭載されている。
【００５８】
上述のＥＭＩＴ技術を応用したシステム（以降、ＥＭＩＴシステムと称する。）としては、外部端末がインターネット上に設けられたセンタサーバ（図示せず）経由でＥＭＩＴ端末を遠隔監視・制御する構成のものや、センタサーバを介することなく、例えばＥＭＩＴソフトウェアが搭載された外部端末から、直接各ＥＭＩＴ端末にアクセスしてＥＭＩＴ端末を遠隔監視・制御する構成のものを挙げることができる。
【００５９】
尚、ＥＭＩＴシステムによって、例えば、建物（戸建住宅、マンション、ビル、工場用等）＜図示せず＞内に上述のＥＭＩＴ端末を分散配置させて、外部端末からＥＭＩＴ端末の状態を遠隔から監視することで、建物全体のエネルギー管理や、建物内のガス、水道、電気の遠隔検針を行うことも可能となる。
【００６０】
そこで上述の本発明の実施形態１〜３に係る照明制御システムを建物に設置してシステムを構築する場合、建物が上述のＥＭＩＴシステムを構成するものであっても勿論良い。
【図面の簡単な説明】
【００６１】
【図１】実施形態１の一部省略したシステム構成図である。
【図２】実施形態１の概略施工例図である。
【図３】実施形態１の動作説明用シーケンス図である。
【図４】（ａ）は実施形態１のアドレス設定コマンドのフォーマット、（ｂ）はアドレス応答コマンドのフォーマットである。
【図５】実施形態１の照明装置１の動作説明用フローチャートである。
【図６】実施形態１の動作説明用シーケンス図である。
【図７】（ａ）は実施形態２のアドレス設定コマンドのフォーマット、（ｂ）はアドレス応答コマンドのフォーマットである。
【図８】実施形態１の照明装置２の動作説明用フローチャートである。
【図９】実施形態３の一部省略したシステム構成図である。
【図１０】従来例の説明図である。
【符号の説明】
【００６２】
１  照明装置
２  電力線
３  電源回路
４  照明ランプ
５  照明ランプ駆動部
６  人体検知部
７  照度検知部
８  通信線
９  通信端末部
９０ａ、９０ｂ  接続端子部
９１  送信回路
９２  受信回路
９３  比較部
１０  制御部
１１  電源接続端子部
１２  アドレス設定スイッチ
Ｒ１、Ｒ２  抵抗
ＲＴ、Ｒｔ  終端抵抗
【図１】
0004529867.tif 000002
【図２】
0004529867.tif 000003
【図３】
0004529867.tif 000004
【図４】
0004529867.tif 000005
【図５】
0004529867.tif 000006
【図６】
0004529867.tif 000007
【図７】
0004529867.tif 000008
【図８】
0004529867.tif 000009
【図９】
0004529867.tif 000010
【図１０】
0004529867.tif 000011